(57)【要約】【課題】建物の外壁の縦目地と横目地とが交差する箇所において水の排水経路を複数形成し、排水経路外への漏水の防止性能を向上できる目地排水部材およびこの目地排水部材を用いた外壁の排水構造を提供する。【解決手段】目地排水部材７は、建物の外壁の縦目地４と横目地３とが交差する箇所に表側から配置できる大きさを有する。上記目地排水部材７は、上記交差箇所に配置された状態で目地奥の部材との間に縦方向に通じる空間を形成する第１部位７１と、上向きの凹形状を有し上方から受けた水の一部を前方となる外壁面側に排水するとともに上記水の他の一部を後方となる上記第１部位７１による上記空間に案内する第２部位７２と、を備える。【選択図】図３
2015090060.tif 000002
【特許請求の範囲】
【請求項１】
建物の外壁の縦目地と横目地とが交差する箇所に表側から配置できる大きさを有し、上記交差箇所に配置された状態で目地奥の部材との間に縦方向に通じる空間を形成する第１部位と、上向きの凹形状を有し上方から受けた水の一部を外壁面側に排水するとともに上記水の他の一部を上記第１部位による上記空間に案内する第２部位と、を備えることを特徴とする目地排水部材。
【請求項２】
請求項１に記載の目地排水部材において、上記第１部位の左右側から延設されて上記目地奥の部材に面する第３部位が形成されていることを特徴とする目地排水部材。
【請求項３】
請求項１または請求項２に記載の目地排水部材において、上記第１部位の下部位置に目地手前側に突出する第４部位が形成されていることを特徴とする目地排水部材。
【請求項４】
請求項１に記載の目地排水部材が建物の外壁の縦目地と横目地とが交差する箇所に配置され、上記目地排水部材の上側の縦目地に設けられた上側のガスケットにより形成される縦排水部が上記第２部位上および上記第１部位による上記空間上に位置し、上記横目地に設けられるシーリングによって上記第１部位の表側が埋まる一方、上記第２部位の表側は埋まらずに排水隙間が形成されることを特徴とする外壁の排水構造。
【請求項５】
請求項２に記載の目地排水部材が建物の外壁の縦目地と横目地とが交差する箇所に配置されるとともに、上記第３部位が上記目地奥の部材に接着され、上記目地排水部材の上側の縦目地に設けられた上側のガスケットにより形成される縦排水部が上記第２部位上および上記第１部位による上記空間上に位置し、上記横目地に設けられるシーリングによって上記第１部位の表側および上記第３部位の表側が埋まる一方、上記第２部位の表側は埋まらずに排水隙間が形成されることを特徴とする外壁の排水構造。
【請求項６】
請求項５に記載の外壁の排水構造において、上記目地排水部材は上記第３部位の裏面に接着された両面テープによって上記目地奥の部材に接着されることを特徴とする外壁の排水構造。
【請求項７】
請求項３に記載の目地排水部材が建物の外壁の縦目地と横目地とが交差する箇所に配置され、上記目地排水部材の上側の縦目地に設けられた上側のガスケットにより形成される縦排水部が上記第２部位上および上記第１部位による上記空間上に位置し、上記横目地に設けられるシーリングによって上記第１部位の表側が埋まる一方、上記第２部位の表側は埋まらずに排水隙間が形成され、また、下側の縦目地に設けられる下側のガスケットの上端側で上記第４部位が上記シーリングを受け止めることを特徴とする外壁の排水構造。
【請求項８】
請求項４〜請求項７のいずれか１項に記載の外壁の排水構造において、上側のガスケットが有するヒレ部によって第１の縦排水部と、当該第１の縦排水部よりも目地手前側に位置する第２の縦排水部とが形成され、上記第１の縦排水部の下端側に上記第１部位による上記空間が位置し、上記第２の縦排水部の下端側に上記第２部位が位置することを特徴とする外壁の排水構造。
【請求項９】
請求項７に記載の外壁の排水構造において、上側のガスケットおよび下側のガスケットが有するヒレ部によって、第１の縦排水部と、当該第１の縦排水部よりも前側に位置する第２の縦排水部とが形成され、上側のガスケットの第１の縦排水部の下端側に上記第１部位による上記空間が位置し、上側のガスケットの第２の縦排水部の下端側に上記第２部位が位置し、下側のガスケットの第２の縦排水部の上端側に上記第４部位が位置することを特徴とする外壁の排水構造。
【発明の詳細な説明】
【技術分野】
【０００１】
この発明は、建物の外壁の縦目地と横目地とが交差する箇所に配置される目地排水部材および目地排水部材を用いた外壁の排水構造に関する。
【背景技術】
【０００２】
特許文献１には、建物外壁の各鉛直方向目地にガスケットが嵌着され、各水平方向目地には不定形シーリング剤が充填され、前記ガスケットが、目地の奥から表に向かって伸びる柱状部及びその柱状部の表側の端に結合され、左右両側に伸びて目地左右側面に弾接する表面リップを備えた排水構造が開示されている。そして、この排水構造においては、断面コの字状のクリップが、前記ガスケットの下方の水平方向目地との境に近い部分にあたる前記各表面リップ左右両先端部を挟むように外嵌されており、各表面リップと鉛直方向目地との間等にガスケット内に入った水を屋外に排出する排水口として機能する隙間が形成されている。
【先行技術文献】
【特許文献】
【０００３】
【特許文献１】特開２００７−２９７８９３号公報
【発明の概要】
【発明が解決しようとする課題】
【０００４】
しかしながら、上記従来の構造は、建物の外壁の縦目地と横目地とが交差する箇所において水の排水経路を複数形成し、排水経路外への漏水の防止性能を向上できたものではなかった。
【０００５】
この発明は、上記の事情に鑑み、建物の外壁の縦目地と横目地とが交差する箇所において水の排水経路を複数形成し、排水経路外への漏水の防止性能を向上できる目地排水部材およびこの目地排水部材を用いた外壁の排水構造を提供することを課題とする。
【課題を解決するための手段】
【０００６】
この発明の目地排水部材は、上記の課題を解決するために、建物の外壁の縦目地と横目地とが交差する箇所に表側から配置できる大きさを有し、上記交差箇所に配置された状態で目地奥の部材との間に縦方向に通じる空間を形成する第１部位と、上向きの凹形状を有し上方から受けた水の一部を外壁面側に排水するとともに上記水の他の一部を上記第１部位による上記空間に案内する第２部位と、を備えることを特徴とする。
【０００７】
また、この発明の外壁の排水構造は、上記目地排水部材が建物の外壁の縦目地と横目地とが交差する箇所に配置され、上記目地排水部材の上側の縦目地に設けられた上側のガスケットにより形成される縦排水部が上記第２部位上および上記第１部位による上記空間上に位置し、上記横目地に設けられるシーリングによって上記第１部位の表側が埋まる一方、上記第２部位の表側は埋まらずに排水隙間が形成されることを特徴とする。
【０００８】
上記の構成であれば、上記第２部位によって、上方から受けた水の一部を外壁面側に排水するとともに上記水の他の一部を上記第１部位による上記空間に案内するので、水の排水経路が複数確保されることになり、排水経路外への漏水の防止性能を向上できる。また、建物の外壁の縦目地と横目地とが交差する箇所に表側から配置できるので、施工性にも優れる。
【０００９】
上記第１部位の左右側から延設されて上記目地奥の部材に面する第３部位が形成されていてもよい。そして、上記第３部位を有する目地排水部材を用いる外壁の排水構造においては、当該目地排水部材が建物の外壁の縦目地と横目地とが交差する箇所に配置されるとともに、上記第３部位が上記目地奥の部材に接着され、上記目地排水部材の上側の縦目地に設けられた上側のガスケットにより形成される縦排水部が上記第２部位上および上記第１部位による上記空間上に位置し、上記横目地に設けられるシーリングによって上記第１部位の表側および上記第３部位の表側が埋まる一方、上記第２部位の表側は埋まらずに排水隙間が形成されていてもよい。
【００１０】
上記の構成であれば、上記目地排水部材は上記第３部位によって目地内で安定的に位置することができる。また、上記目地排水部材が上記第３部位の裏面に接着された両面テープによって上記目地奥の部材に接着される構成であれば、上記目地排水部材を取り付けてシーリングする作業が容易になる。
【００１１】
上記第１部位の下部位置に目地手前側に突出する第４部位が形成されていてもよい。そして、上記第４部位を有する目地排水部材を用いる外壁の排水構造においては、当該目地排水部材が建物の外壁の縦目地と横目地とが交差する箇所に配置され、上記目地排水部材の上側の縦目地に設けられた上側のガスケットにより形成される縦排水部が上記第２部位上および上記第１部位による上記空間上に位置し、上記横目地に設けられるシーリングによって上記第１部位の表側が埋まる一方、上記第２部位の表側は埋まらずに排水隙間が形成され、また、下側の縦目地に設けられる下側のガスケットの上端側で上記第４部位が上記シーリングを受け止めてもよい。
【００１２】
上記の構成であれば、下側の縦目地に設けられるガスケットの上端側が上記シーリングで塞がれるのを上記第４部位によって防止することができる。
【００１３】
上側のガスケットが有するヒレ部によって第１の縦排水部と、当該第１の縦排水部よりも目地手前側に位置する第２の縦排水部とが形成され、上記第１の縦排水部の下端側に上記第１部位による上記空間が位置し、上記第２の縦排水部の下端側に上記第２部位が位置してもよい。
【００１４】
また、上記第４部位有する構成においては、上側のガスケットおよび下側のガスケットが有するヒレ部によって、第１の縦排水部と、当該第１の縦排水部よりも前側に位置する第２の縦排水部とが形成され、上側のガスケットの第１の縦排水部の下端側に上記第１部位による上記空間が位置し、上側のガスケットの第２の縦排水部の下端側に上記第２部位が位置し、下側のガスケットの第２の縦排水部の上端側に上記第４部位が位置してもよい。これによれば、下側の縦目地に設けられる下側のガスケットの上記第２の縦排水部となる箇所が上記シーリングで塞がれるのを上記第４部位によって防止することができる。
【発明の効果】
【００１５】
本発明であれば、建物の外壁の縦目地と横目地とが交差する箇所において水の排水経路が複数確保されるので排水経路外への漏水の防止性能を向上できる。また、上記縦目地と横目地とが交差する箇所に表側から配置できるので、施工性にも優れるという効果を奏する。
【図面の簡単な説明】
【００１６】
【図１】この発明の実施形態の外壁の排水構造が用いられる外壁の正面と平面と側面を示した説明図である。
【図２】図１の排水構造における階間箇所の正面と側面を拡大して示した説明図である。
【図３】同図（Ａ）は図１の排水構造における縦目地に設けられるガスケットの断面を示した説明図であり、同図（Ｂ）は上記ガスケットとこの発明の実施形態の目地排水部材の平面と正面と右側面との関係を示した説明図である。
【図４】この発明の実施形態の目地排水部材を示した斜視図である。
【発明を実施するための形態】
【００１７】
以下、この発明の実施の形態を添付図面に基づいて説明する。
図１および図２には建物の階間部が示されている。この階間部における階間面材１の上部に上階側の外壁面材２が設けられており、下部には下階側の外壁面材２が設けられている。上記階間面材１の裏面には、裏面金具１１が固定されている。そして、上記裏面金具１１の上端部には取り付け穴が形成されており、この取り付け穴に挿通したビス１２によって上記階間面材１の上部側が上階側の外壁面材２の下側下地２１に固定される。また、上記階間面材１の裏面には階間水切り１３が設けられている。この階間水切り１３の上部は上記下側下地２１の裏面側に位置しており、下部は下階側の外壁面材２の上側下地２２と上記階間面材１との間を通るように位置し、当該下部が階間水切り固定螺子１３ａによって上記上側下地２２に固定されている。
【００１８】
上記階間面材１と上階側の外壁面材２との間および上記階間面材１と下階側の外壁面材２との間には横目地３が形成されている。この実施形態では、上記階間面材１の上側の横目地３には不定形のシーリング５が設けられ、上記階間面材１の下側の横目地３には見切り６が設けられる。この見切り６は、見切り受け部品６１に支持される。この見切り受け部品６１は上記階間水切り固定螺子１３ａによって上記上側下地２２に固定されている。
【００１９】
上記階間面材１および上記外壁面材２には縦方向に縦目地４が形成されている。上記階間面材１の上側の横目地３と上記縦目地４との交差する箇所に目地排水部材７が設けられている。この目地排水部材７は、上記交差箇所に表側から配置できる大きさおよび形状を有している。上記縦目地４にはパネル内目地とパネルジョイント目地とがあるが、この実施形態では、そのいずれにも目地排水部材７を設けている。そして、上記縦目地４には樹脂から成るガスケット８が設けられ、上記階間面材１の上側の横目地３には、上記ガスケット８で遮られることなく、シーリング５が連続して設けられる。
【００２０】
図３（Ａ）はガスケット８の横断面を示している。また、図３（Ｂ）は上記ガスケット８と目地排水部材７の平面と正面と右側面との関係を示している。上記平面にかかる図においては上記ガスケット８の横断面図を重ねている。また、図４は上記目地排水部材７の斜視図を示している。
【００２１】
上記目地排水部材７は、例えばステンレス等からなる一枚の金属板を部分切断し折り曲げ加工して成るものである。そして、この目地排水部材７は、上記交差箇所に配置された状態で目地奥の部材である上記下側下地２１等との間に縦方向に通じる空間を形成する第１部位７１と、上向きの凹形状を有し上方から受けた水の一部を外壁面側に排水するとともに上記水の他の一部を上記第１部位７１による上記空間に案内する第２部位７２とを有する。上記第１部位７１の高さは横目地３の高さと略同じであり、幅は縦目地４の幅と略同じである。また、上記第１部位７１と上記第２部位７２を加算した奥行き長さは目地奥行き長さと略同じになっている。
【００２２】
さらに、上記目地排水部材７は、上記第１部位の左右側から延設され上記目地奥の部材である上記裏面金具１１等に面する第３部位７３を有する。この第３部位７３の上下幅は横目地３の幅よりも狭い。また、上記第１部位７１の下部位置には目地手前側（屋外側）に突出する第４部位７４が形成されている。この第４部位７４はこの例では斜め下向きに突出している。
【００２３】
上記ガスケット８は、縦方向に延びるヒレ部を左右側にそれぞれ３本ずつ備えており、上記縦目地４に設けられた状態で、最も奥側のヒレ部と真ん中のヒレ部との間に第１の縦排水部８１を形成し、最も手前側のヒレ部と上記真ん中のヒレ部との間に第２の縦排水部８２を形成している。
【００２４】
上記目地排水部材７を上記交差位置に設けた状態において、上側の外壁面材２の縦目地４に設けたガスケット８（上側のガスケット８）における第１の縦排水部８１の下端側に上記第１部位７１による上記空間が位置し、この空間の下方に上記階間面材１の縦目地４に設けたガスケット８（下側のガスケット８）の第１の縦排水部８１の上端側が位置することになる。また、上側のガスケット８における第２の縦排水部８２の下端側には上記第２部位７２が位置することになる。ここで、上記目地に対する施工手順としては、上側の縦目地４に上側のガスケット８を設け、上記横目地３の位置に合せて上記ガスケット８の下部を切断した後に、上記目地排水部材７を設け、横目地３にシーリング５を施すことになる。
【００２５】
また、上記横目地３に施される上記シーリング５の上端部分は上記第２部位７２の下面側に位置しており、上記第２部位７２の表側は埋まらずに排水隙間７２ａが形成され、この排水隙間７２ａからの排水経路が確保される。そして、上側のガスケット８の下端側には、上記第２部位７２の上向き凹形状によって当該第２部位７２の凹形状底面との間に隙間が形成される。この実施形態では、上記目地排水部材７の奥行き長さは１１ｍｍであり、上記ガスケット８は押し込まれたときの奥行き厚みが１０ｍｍ程度とされるので、上記第２部位７２がガスケット８よりも外側に１ｍｍ以上出た状態で上記排水隙間７２ａが形成される。
【００２６】
また、上記横目地３に設けられるシーリング５によって上記第１部位７１および上記第３部位７３の表側が埋まる。ここで、上記目地排水部材７は上記第３部位７３の裏面に接着された図示しない両面テープによって上記目地奥の部材に仮接着され、その後に上記シーリング５が施工される。
【００２７】
上記の構成であれば、上記第２部位７２によって、上方から受けた水の一部を外壁面側に排水するとともに上記水の他の一部を上記第１部位７１による上記空間に案内するので、水の排水経路が複数確保されることになり、排水経路外への漏水の防止性能を向上できる。すなわち、仮に１個の排水経路が塞がれたとしても、他の排水経路による排水を維持できることになる。また、上記目地排水部材７は建物の外壁の縦目地４と横目地３とが交差する箇所に表側から配置できるので、施工性にも優れる。
【００２８】
上記目地排水部材７に上記第３部位７３が形成されていると、上記目地排水部材７が上記第３部位７３によって目地内で安定的に位置することができる。また、上記目地排水部材７が上記第３部位７３の裏面に接着された両面テープによって上記目地奥の部材に仮接着される構成であれば、上記目地排水部材７を上記交差箇所に配置してシーリングする作業が一層容易になる。
【００２９】
また、上記目地排水部材７に上記第４部位７４が形成されていると、下側の縦目地４に設けられる下側のガスケット８の上端が上記シーリング５で塞がれるのを上記第４部位７４によって防止することができる。
【００３０】
特に、この実施形態では、上側のガスケット８の第１の縦排水部８１の下端側に上記第１部位７１による上記空間が位置し、上側のガスケット８の第２の縦排水部８２の下端側に上記第２部位７２が位置する。そして、下側のガスケット８の第２の縦排水部８２の上端側に上記第４部位７４が位置するので、下側のガスケット８の上端側の上記第２の縦排水部８２となる箇所がシーリング５で塞がれるのを上記第４部位７４によって防止することができる。
【００３１】
なお、上記実施形態では、上記目地排水部材７は上記第３部位７３を備えたが、この第３部位７３を備えない構成を採用できる。このように第３部位７３を備えない構成の目地排水部材においては、上記第１部位７１の奥側の縁部に粘着材等を塗布して奥側の目地部材に仮留めすることが可能である。
【００３２】
また、上記実施形態では、上記目地排水部材７は上記第４部位７４を備えたが、この第４部位７４を備えない構成を採用できる。この場合、上記シーリング５を施工する際には、当該シーリング５によって下側のガスケット８の上記第２の縦排水部８２が全て塞がれてしまうことがないように注意して施工作業を行う。また、上記第４部位７４に対応する形状の別部品を上記第１部位７１の表側に配置することで、上記シーリング５で下側のガスケット８の上記第２の縦排水部８２が全て塞がれてしまうのを防止することもできる。
【００３３】
また、上記実施形態では、上記目地排水部材は、階間部おける縦目地と横目地に設けられたが、このような階間部以外の目地交差箇所において目地排水部材を設けて外壁の排水構造とすることができる。
【００３４】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３５】
１      階間面材
２      外壁面材
３      横目地
４      縦目地
５      シーリング
７      目地排水部材
７１    第１部位
７２    第２部位
７３    第３部位
７４    第４部位
８      ガスケット
８１    第１の縦排水部
８２    第２の縦排水部
【図１】
2015090060.tif 000003
【図２】
2015090060.tif 000004
【図３】
2015090060.tif 000005
【図４】
2015090060.tif 000006